(57)【特許請求の範囲】
【請求項１】
壁面開口部に室外側に突出するように取付けられた外箱に、ユニットをスライドインして設置する一体型空気調和機において、ユニットが外箱にスライドインされた後、ユニットの前面壁に沿って立ち上がることによりユニットの室内側への移動を阻止する締結手段が室内側から操作可能な位置において外箱に設けられ、ユニットの室内側への押し出しを阻止するようにした一体型空気調和機。
【請求項２】
前記締結手段が、外箱の底部に設けたスリット状の長穴と、この長穴に鉤形をした底辺部分を挿入後スライドさせて外箱に係止させるとともに立上がり部をユニットの前面壁に沿わせた固定アングルとからなる請求項１記載の一体型空気調和機。
【請求項３】
固定アングルの立上がり部とユニットの前面壁とを略Ｕ字型の弾性クリップで挟着してなる請求項２記載の一体型空気調和機。
【請求項４】
固定アングルの立上がり部とユニットの前面壁とを蝶ボルトにより締結してなる請求項２記載の一体型空気調和機。
【請求項５】
前記締結手段が、外箱底部に取り付けられる固定板と、ユニット前面壁に沿って立ち上がる可動板からなり、固定板には可動板の立ち上がり状態において前面側への伏倒を阻止する障壁が設けられ、可動板は固定板に対してスライド可能で、前記障壁から外れたスライド位置で前面側に伏倒可能に連結されていることを特徴とする請求項１記載の一体型空気調和機。
【請求項６】
可動板に対し、前記障壁で支えられた立上がり状態のスライド位置に維持するバネ力が付与された請求項５記載の一体型空気調和機。
【請求項７】
壁面開口部に室外側に突出するように取付けられた外箱に、ユニットをスライドインして設置する一体型空気調和機において、ユニットが外箱にスライドインされた後、ユニットから突出することによりユニットの室内側への移動を阻止する締結手段が室内側から操作可能な位置において設けられ、前記締結手段が、ユニット底板において底板から出没可能に設けたロックボタンと、外箱において前記ロックボタンを受入れ可能に設けた凹部とからなり、ユニットの室内側への押し出しを阻止するようにした一体型空気調和機。
【請求項８】
ロックボタンに、常時ユニット底板から突出する方向のバネ力を付与した請求項７記載の一体型空気調和機。
【発明の詳細な説明】
【０００１】
【発明の属する技術分野】
本発明は、外箱、ユニット及び前面パネルにて構成される一体型空気調和機において、特にその据付け構造の改良に関するものである。
【０００２】
【従来の技術】
図１４を参照しながら、従来の一体型空気調和機の据付け構造について説明する。一体型空気調和機は、外箱１、ユニット３及び前面パネル６にて構成されており、壁２に穿設した取付穴に外箱１をネジ止めし、ユニット３をスライドインした後、ユニット３と外箱１を外箱外部の側面方向からネジ止めするようになっている。
【０００３】
すなわち、先ず壁２に穿設した取付穴に外箱１をセットし、固定ネジ２１にて取付穴の左右及び下部の壁端面に固定した後、ユニット３をスライドインする。その後、外箱１の左右側面の穴２２、２３においてネジ２４を用いて外箱１とユニット３を固定する。最後に前面パネル６をユニット３と外箱１にはめ込み、据え付け作業は終了する。
【０００４】
通常穴２２は、壁２の前方の室内側に出して、外箱１とユニット２とをネジ２４にて止める。また、平坦地の場合であれば、穴２３も利用して同様にネジ２４にて外箱１とユニット３とを固定することができる。
【０００５】
しかし、壁２の取付穴に外箱１を固定した後、特に高層階に設置された場合には、壁２によって作業空間が分断される為に、穴２３にネジ２４を使用できなくなる場合がある。また、穴２２についても、外箱１の固定位置により壁２の取付穴内部に隠れ、ネジ２４を使用できなくなる場合がある。例えば、壁２が厚い場合に、室外側の吸い込み口が壁の中に隠れるのを回避するため、ユニット３を奥に押しこんで設置する場合、また、壁厚が薄い場合でも前面パネル６と壁面とを面一に仕上げる外観上の要望から同様な設置例をとる場合があり、いずれの設置例においても穴２２が壁２の取付穴内部に隠れてしまう。このような場合には、穴２２、２３双方にネジ２４を使用することができなくなり、外箱１とユニット３の固定が為されないまま据付け完了となる。また、時には、ネジ止め可能な場合であっても、ネジ止めを省略して設置完了とする場合も見られた。
【０００６】
【発明が解決しようとする課題】
上記の通り、従来の一体型空気調和機の据付け構造では、穴２２、２３の両者を用いて外箱１とユニット３をネジ止め固定できない場合があり、また、ネジ止めを省略する場合も見られ、室外側からユニット３を室内側に押し出され不法侵入者の侵入口として利用される懸念があった。
【０００７】
そこで、本発明は上記従来例の問題点を解決しようとするもので、ユニットを室内側の前面から固定し得るようになし、どのような設置状況においても、確実にユニットの固定を行うことができ、また、特殊な工具を必要とせずに容易に固定し得る一体型空気調和機を提供することを目的としている。
【０００８】
【課題を解決するための手段】
本発明は、ユニットと外箱を外箱外部の側面方向からネジ止め固定する従来の構造に問題があるとの認識に立ち、室内側から操作可能な位置においてユニットと外箱とを固定する締結手段を設けるようにしたものである。
【０００９】
すなわち、本発明に係る一体型空気調和機は、壁面開口部に取付けられた外箱にユニットをスライドインして設置する一体型空気調和機において、室内側から操作可能な位置においてスライドインしたユニットと外箱を連結固定する締結手段を設け、外箱にスライドインしたユニットの室内側への押し出しを阻止するようにしたことを特徴とするものである。
【００１０】
室内側から操作可能な位置においてユニットと外箱を連結固定する締結手段としては種々の構成を採用可能であるが、一つの手段を例示すれば、請求項２記載のように、外箱の底部に設けたスリット状の角穴と、この角穴に鉤形をした底辺部分を挿入後スライドさせて外箱に係止させるとともに立上がり部をユニットの前面に沿わせた固定アングルとの組み合わせによって構成することができる。
【００１１】
固定アングルがその鉤形をした底辺部分において外箱に係止されることにより前面側への離脱が阻止され、立上がり部をユニットの前面に沿わせることによって、ユニットを室外側から室内側に押し出そうとしても、外箱に係止された固定アングルの立上がり部がストッパーとして作用し、ユニットの移動を阻止するようにしたものである。
【００１２】
固定アングルは外箱の底部に設けた角穴に鉤形をした底辺部分を挿入後スライドさせて係止するようにしているが、固定アングルが離脱位置に逆スライドしたり、がたつくのを防止するためには、請求項３記載のように、固定アングルの立上がり部とユニットの前面壁とを略Ｕ字型の弾性クリップで挟着したり、請求項４記載のように、固定アングルの立上がり部とユニットの前面壁とを蝶ボルトにより締結することが望ましい。これによって、固定アングルのがたつきを防止し、外箱の角穴から離脱可能な位置に逆スライドしたりするのを防止することができる。
【００１３】
また、他の締結手段の例としては、請求項５記載のように、外箱底部に取り付けられる固定板と、ユニット前面に沿って立ち上がる可動板からなり、固定板には可動板の立ち上がり状態において前面側への伏倒を阻止する障壁が設けられ、可動板は固定板に対してスライド可能で、前記障壁から外れたスライド位置で前面側に伏倒可能に連結されている構成を挙げることができる。
【００１４】
すなわち、外箱底部に取り付けられる固定板に対し、起伏可能、スライド可能に連結された可動板によってユニットの移動を阻止するもので、ユニット前面に沿って可動板が立ち上がった状態において可動板が前面側へ伏倒するのを阻止する障壁を固定板に設け、障壁から外れたスライド位置で可動板を前面側に伏倒させてユニットを外箱に組み込んだ後、可動板を立ち上げてユニット前面に沿わせるとともに障壁によって支えられるスライド位置に復帰させるようにしたものである。これによって、ユニットは可動板により室内側方向への動きを阻止され、室外側から押し込まれることはない。
【００１５】
なお、請求項６記載のように、可動板に対し、前記障壁で支えられた立上がり状態のスライド位置に維持するバネ力を付与しておけば、ユニットの設置時にはバネ力に抗して可動板をスライドさせて障壁から外れたスライド位置で前面側に伏倒した状態となし、ユニットを外箱内にスライドインさせた後、ユニットの前面に沿うように可動板を立ち上がらせれば、バネ力によって自動的に障壁で支えられた立上がり状態のスライド位置に復帰する構造とすることができる。
【００１６】
さらにまた、他の締結手段の例としては、請求項７記載のように、ユニット底板において底板から出没可能に設けたロックボタンと、外箱において前記ロックボタンを受入れ可能に設けた凹部とによって構成される締結手段を挙げることができる。
【００１７】
すなわち、室内側から操作可能な位置においてユニット底板から外箱側に出没可能なロックボタンを設け、ユニットを外箱にスライドインさせる時には非突出状態に保ち、スライドイン完了時には底板から突出して外箱に設けた凹部に嵌入するようにしたもので、これによってユニットと外箱を連結固定している。
【００１８】
なお、請求項８記載のようにロックボタンに、常時ユニット底板から突出する方向のバネ力を付与しておけば、凹部に対する嵌入状態が確実に保持される。
【００１９】
【発明の実施の形態】
以下、本発明に係る一体型空気調和機の実施の形態について、その設置例とともに図面を参照して説明する。
【００２０】
［実施の形態１］
図１は、本発明に係る一体型空気調和機の実施の形態１を示す斜視図である。まず、従来の設置例と同様に、外箱１を壁２の壁面開口部に固定した後、ユニット３をスライドインして外箱１に固定するが、この例ではユニット３と外箱１を固定アングル４を用いて室内側から固定している。
【００２１】
固定アングル４と外箱１の関係を図２に示す。なお、説明上外箱１にユニット３がセットされていない状態を示している。外箱１の前面側底部には角型をしたスリット状の長穴５が設けられており、この長穴５に固定アングル４の鉤形をした底辺部分４ａを挿入して、固定アングル４の立ち上がり部分４ｂをユニット３の前面壁３ａに沿わせ、固定アングル４を外箱１の長穴５に沿ってスライドさせる。スライドさせることによって固定アングル４の鉤形をした底辺部分４ａの係止端４ｃと、外箱１とが噛み合い状態となり固定され、ユニット３を室外側より室内側に押し込むことは不可能になる。その後、前面パネル６を外箱１に合わせてはめ込み、設置を終了する。
【００２２】
［実施の形態２］
実施の形態２を図３、図４を用いて説明する。
【００２３】
上記実施の形態１の状態においては、固定アングル４を外箱１に取り付けることによりユニット３が室内側に押し込まれるのを防止しているが、固定アングル４とユニット３が固定されていないために固定アングル４ががたつき、外箱１から離脱する懸念もあるため、ユニット３と固定アングル４を弾性クリップ７で挟着して固定アングル４を確実に保持することを特徴としている。
【００２４】
この弾性クリップ７は、略Ｕ字状の形状をしており、固定アングル４とユニット２の前壁面３ａとを挟み込むことによって固定される。この弾性クリップ７には、図５及び図６で示す通り、挟む部分の中央部分に、凸状の突起７ａがＵ字状の内面に向かって形成されており、また、ユニット３の前壁面３ａと固定アングル４の立ち上がり部分４ｂには、弾性クリップ７の凸状の突起７ａを受ける穴３ｂ、４ｄが設けられている。この突起７ａと弾性クリップ７の挟着力によって、固定アングル４は確実にユニット３に固定される。その後前面パネル６を外箱１に合わせてはめ込み、設置を終了する。
【００２５】
［実施の形態３」
実施の形態３を図７を用いて説明する。実施の形態３は、上記実施の形態２の弾性クリップ７を使用する代わりに蝶ネジ８を使用したものである。
【００２６】
すなわち、固定アングル４の立上がり部分４ｂに穴４ｅを形成し、ユニット３の前壁面３ａにはネジ穴を形成して室内側より蝶ネジ８を螺着して固定するようにしたものである。これにより固定アングル４はユニット３に固定され、がたつきや離脱が防止される。その後前面パネル６を外箱１に合わせてはめ込めば設置が完了する。
【００２７】
［実施の形態４］
実施の形態４を図８、図９、図１０を用いて説明する。
【００２８】
この締結手段は、外箱１の底部にビスなどの固定手段を用いて取り付けられる固定板１０と、固定板１０に対し起伏可能で、スライド可能に設けられた可動板１１によって構成されている。すなわち、図９及び図１０に示す通り、固定板１０の一方側には可動板１１が入り込む間隔を開けて障壁１２が設けられるとともに軸受１３、１４においてガイド軸１５を支承している。可動板１１にはこのガイド軸１５に挿通される連結片１６、１６が設けられており、これによって可動板１１は固定板１０に対し起伏可能で、スライド可能に連結されている。
【００２９】
図６及び図７では障壁１２から外れたスライド位置で可動板１１を前面側に伏倒させた状態を示しており、この状態においてユニット３を外箱１内にスライドインさせる。その後可動板１１をユニット３の前面壁３ａに沿って立ち上がらせてスライドさせれば、図７に示す通り、障壁１２によって前面側への伏倒が阻止されるので、ユニット３を室外側より室内側に押し込むことは不可能になる。その後、前面パネル６を外箱１に合わせてはめ込めば設置が完了する。
【００３０】
なお、図示の通り、一方の軸受１４と連結片１６間に引張りコイルバネ１７を装架し、常時可動板１１を障壁１２の後部に引き込むバネ力を付与しておけば、可動板１１のがたつきを防止することができ、固定状態が安定するとともに、可動板１１を立ち上げればバネ力によって自動的に障壁１２の後部に引き込まれ、ユニット３の固定を完了することができる。
【００３１】
なおまた、このようなバネ力を付与せず、あるいはまたバネ力を付与した上でさらに締結部材の確実な取付状態を得るために、実施の形態２で使用した弾性クリップ７あるいは実施の形態３で使用した蝶ネジ８を使用して可動板１１をユニット３の前面壁３ａに固定する手段を採用することもできる。
【００３２】
［実施の形態５］
実施の形態５を図１１、図１２、図１３を用いて説明する。
【００３３】
実施の形態５は、室内側から操作可能な位置においてユニット３の底板から外箱１側に出没可能なロックボタン１８を設け、外箱１にはこのロックボタン１８が嵌入可能な凹部１９を設けた締結手段を示している。すなわち、ユニット３を外箱１にスライドインさせる時にはロックボタン１８を非突出状態に保ち、スライドイン完了時には底板から突出して外箱１に設けた凹部１９に嵌入するようにしたもので、これによってユニット３は外箱１に対して連結固定され室内側への押し込みが阻止される。
【００３４】
なお図面においては、外箱１に形成する凹部１９は、外箱１の底板に不連続の絞り加工を施し、隣接絞り２０間の隙間をロックボタン１８が嵌入する凹部１９としているが、これに限定されるものではない。
【００３５】
なおまた、ロックボタン１８の頭部を板バネで押さえるなど、ロックボタン１８に常時ユニット３の底板から突出する方向のバネ力を付与しておけばロックボタン１８の凹部１９に対する嵌入状態を確実に維持することができる。
【００３６】
【発明の効果】
以上説明の通り、本発明においては、ユニットと外箱を外箱外部の側面方向からネジ止め固定するのではなく、室内側から操作可能な位置においてスライドインしたユニットと外箱を連結固定する締結手段を設けることにより外箱にスライドインしたユニットの室内側への押し出しを阻止するようにしたので、ユニットと外箱とを室内側前面からの操作で連結固定することができる。従って、作業性に富んでおり、設置作業時間の短縮化も期し得るものである。また、室内側から操作可能な位置において連結固定するものであるから、作業者の目に触れやすく、作業の完了状態を容易に認識できるため作業忘れをも防止し得る利点を有している。
【００３７】
また、請求項２記載の締結手段によれば、固定アングルを外箱の角穴に挿入してスライドさせるのみで設置を完了することができる。また、請求項３及び４記載の締結手段によれば、固定アングルのがたつきが防止され取付状態が安定する。さらにまた、請求項５記載の締結手段を用いれば、固定板が外箱底部に取り付けらているため取付状態が確実であり、可動板のスライドのみによってユニットの設置を完了し得る。この際請求項６のようにバネ力を付与しておき、可動板を立ち上がられば自動的に障壁で支えられる位置にスライドするようにしておけば、外箱とユニットの連結固定が自動的に行われ、作業忘れの懸念もない。また、請求項７のようにロックボタンを使用して外箱の凹部に嵌入する締結手段を採用すれば、ユニットと外箱の連結固定がより確実となる。請求項８のようにロックボタンにバネ力を付与しておけば、凹部に対する嵌入状態が確実に保持され、ユニットの固定がより確実となる。
【００３８】
いずれにしても、本発明の締結手段を使用した一体型空気調和機は、ユニットと外箱を外箱外部の側面方向からネジ止め固定していた従来の一体型空気調和機に比し、設置作業が容易で作業時間を短縮し得るとともに、どのような設置状況においても確実にユニットの固定を行うことができ、また特殊な工具も必要とせず容易に固定し得るものであり、ユニットを室外側から押し込まれ不法侵入者の侵入口として利用される懸念を払拭し得たのである。
【図面の簡単な説明】
【図１】  本発明に係る一体型空気調和機の実施の形態１を示す斜視図。
【図２】  同実施形態１の取り付け詳細図。
【図３】  本発明に係る一体型空気調和機の実施の形態２を示す斜視図。
【図４】  同実施形態２の取り付け詳細図。
【図５】  同実施形態２の取付状態における締結手段の正面図。
【図６】  同実施形態２の取付状態における要部断面図。
【図７】  本発明に係る一体型空気調和機の実施の形態３を示す斜視図。
【図８】  本発明に係る一体型空気調和機の実施の形態４を示す要部斜視図。
【図９】  同実施形態４で使用する締結手段の斜視図。
【図１０】  同締結手段の平面図。
【図１１】  本発明に係る一体型空気調和機の実施の形態５を示すユニット側の要部斜視図。
【図１２】  同実施形態５における外箱側の斜視図で、一部を破断して示す。
【図１３】  同実施形態５における締結手段の動作状態を示す断面図。
【図１４】  従来の一体型空気調和機の据付状態を示す斜視図。
【符号の説明】
１…外箱    ２…壁    ３…ユニット    ３ａ…前面壁    ３ｂ…穴
４…固定アングル    ４ａ…底辺部分    ４ｂ…立上がり部分
４ｃ…係止端    ４ｄ…穴    ４ｅ…穴    ５…長穴    ６…前面パネル
７…弾性クリップ    ７ａ…突起    ８…蝶ネジ    １０…固定板
１１…可動板    １２…障壁    １３、１４…軸受    １５…ガイド軸
１６、１６…連結片    １７…引張りコイルバネ    １８…ロックボタン
１９…凹部    ２０…絞り
【図１】
0003799189.tif 000002
【図２】
0003799189.tif 000003
【図３】
0003799189.tif 000004
【図４】
0003799189.tif 000005
【図５】
0003799189.tif 000006
【図６】
0003799189.tif 000007
【図７】
0003799189.tif 000008
【図８】
0003799189.tif 000009
【図９】
0003799189.tif 000010
【図１０】
0003799189.tif 000011
【図１１】
0003799189.tif 000012
【図１２】
0003799189.tif 000013
【図１３】
0003799189.tif 000014
【図１４】
0003799189.tif 000015